(57)【要約】【課題】一つの地震感知器に接続された複数台のエレベーターにつき、地震管制運転の動作試験を一台毎に行うことを可能にしたエレベーターの地震管制運転動作試験システムの提供。【解決手段】上記課題は、地震管制運転手段２と、地震感知器１の動作信号が入力された時と擬似入力手段４の擬似信号が入力された時とのいずれかの時に地震管制運転開始信号を地震管制運転手段に入力されるように切り替え可能にした入力切替手段６と、擬似入力手段４からの擬似信号が入力切替手段６に入力されている時に、地震管制運転手段２に地震管制運転開始信号を入力させるための切替信号を出力する切替装置７と、地震感知器１の動作信号を記憶させる記憶手段９と、記憶手段９に記憶された動作信号を確認する読み出し手段１１を設けたエレベーターの地震管制運転動作試験システムにより、達成できる。【選択図】図１
2007022679.tif 000002
【特許請求の範囲】
【請求項１】
機械室に設けられた地震感知器の動作時、複数台のエレベーターを最寄階に停止させ、その後、それらエレベーターを少なくとも復帰させるようにしたエレベーターの地震管制運転動作試験システムにおいて、エレベーターの地震管制運転を実行させる地震管制運転手段と、前記地震感知器の動作信号が入力される地震感知器入力部と、擬似入力手段からの擬似信号が入力される擬似入力部と、前記地震感知器の動作信号が入力された時と前記擬似入力手段の擬似信号が入力された時とのいずれかの時に地震管制運転開始信号を前記地震管制運転手段に入力されるように切り替え可能にした入力切替手段と、前記擬似入力手段からの擬似信号が入力切替手段に入力されている時に、前記地震管制運転手段に地震管制運転開始信号を入力させるための切替信号を出力する切替装置と、この切替装置からの切替信号を前記入力切替手段に出力する切り替え部入力部と、前記地震感知器の動作信号を記憶させる記憶手段と、この記憶手段に記憶された動作信号を出力する記憶出力部と、この記憶出力部から出力された動作信号を確認する読み出し手段を設けたことを特徴とするエレベーターの地震管制運転動作試験システム。
【請求項２】
通常は、前記地震感知器の動作信号が地震感知器入力部に入力されると、前記入力切替手段から地震管制運転開始信号が前記地震管制運転手段に入力されると共に、前記切替装置からの切替信号が前記切り替え部入力部に入力されると、前記擬似入力手段の擬似信号が入力された時のみ、地震管制運転開始信号が前記地震管制運転手段に入力されるようにしたことを特徴とする請求項１記載のエレベーターの地震管制運転動作試験システム。
【請求項３】
前記切替装置、前記読み出し手段及び前記擬似入力手段は、メンテナンスコンピューターに包含されていることを特徴とする請求項１若しくは２記載のエレベーターの地震管制運転動作試験システム。
【発明の詳細な説明】
【技術分野】
【０００１】
本発明は、エレベーターの地震管制運転動作試験システムに関するものである。
【背景技術】
【０００２】
従来、エレベーターの地震管制運転動作試験システムとしては、機械室に設けられた地震感知器を、その地震感知器に設けられた試験釦を操作することで、作動させて、その地震感知器からの信号（動作信号）を地震管制運転手段に入力させることにより、エレベーター地震管制運転が正常に行われるか否かを点検するようにしたものが知られていた（例えば、特許文献１参照）。
【特許文献１】特開２０００−２７２８５２号公報（段落番号０００８〜段落番号００１１、図２）
【発明の開示】
【発明が解決しようとする課題】
【０００３】
しかしながら、上述の特開２０００−２７２８５２号公報などに記載された従来のエレベーターの地震管制運転動作試験システムでは、一つの地震感知器に複数台のエレベーターが接続させている場合については、全く考慮されていない。
【０００４】
そのために、一つの地震感知器に複数台のエレベーターが接続されている場合、その地震感知器の試験釦を操作すると、それら複数台のエレベーターのすべてが、同時に地震管制運転の動作試験が行われてしまい、通常運転（正常運転）するエレベーターがなくなってしまう。
【０００５】
したがって、ビル内に、一つの地震感知器に複数台のエレベーターを接続してなるエレベーター施設が設けられている場合には、エレベーター地震管制運転の動作試験を行っている間、エレベーターを利用することができず、ビル利用者に不便さを強いることになるという問題があった。そこで、ビル利用者に不便さを強いることを避けるために、ビル利用者のいない休日若しくは深夜の時間帯に、エレベーター地震管制運転の動作試験を実施するようにしている。ところが、休日若しくは深夜の時間帯における保守員の作業費は、平常時間帯における保守員の作業費に比べてはるかに高いので、保守費用が高くなるという問題があった。
【０００６】
本発明の目的は、上述した問題にかんがみ、なされたものであって、一つの地震感知器に複数台のエレベーターが接続されていても、それらエレベーターに係わる地震管制運転の動作試験を同時に行わず、一台毎に行うことを可能にしたエレベーターの地震管制運転動作試験システムを提供することにある。
【課題を解決するための手段】
【０００７】
上記目的を達成するために、本発明は、機械室に設けられた地震感知器の動作時、複数台のエレベーターを最寄階に停止させ、その後、それらエレベーターを少なくとも復帰させるようにしたエレベーターの地震管制運転動作試験システムにおいて、エレベーターの地震管制運転を実行させる地震管制運転手段と、前記地震感知器の動作信号が入力される地震感知器入力部と、擬似入力手段からの擬似信号が入力される擬似入力部と、前記地震感知器の動作信号が入力された時と前記擬似入力手段の擬似信号が入力された時とのいずれかの時に地震管制運転開始信号を前記地震管制運転手段に入力されるように切り替え可能にした入力切替手段と、前記擬似入力手段からの擬似信号が入力切替手段に入力されている時に、前記地震管制運転手段に地震管制運転開始信号を入力させるための切替信号を出力する切替装置と、この切替装置からの切替信号を前記入力切替手段に出力する切り替え部入力部と、前記地震感知器の動作信号を記憶させる記憶手段と、この記憶手段に記憶された動作信号を出力する記憶出力部と、この記憶出力部から出力された動作信号を確認する読み出し手段とを設けたことを特徴としている。
【０００８】
さらに、本発明は、通常は、前記地震感知器の動作信号が地震感知器入力部に入力されると、前記入力切替手段から地震管制運転開始信号が前記地震管制運転手段に入力されると共に、前記切替装置からの切替信号が前記切り替え部入力部に入力されると、前記擬似入力手段の擬似信号が入力された時のみ、地震管制運転開始信号が前記地震管制運転手段に入力されるようにしたことを特徴としている。
【０００９】
さらに、本発明は、前記切替装置、前記読み出し手段及び前記擬似入力手段は、メンテナンスコンピューターに包含されていること特徴としている。
【発明の効果】
【００１０】
本発明によれば、複数台のエレベーターの地震管制運転を一台毎に行うことが可能となるので、ビル利用者のいない休日若しくは深夜の時間帯に、エレベーター地震管制運転の動作試験を実施しなくともよくなり、エレベーターサービスを確保しながらエレベーター地震管制運転の動作試験を平常時間帯に実施することができるため、保守費用を低く抑えることを可能にしたエレベーターの地震管制運転動作試験システムを提供できる。
【発明を実施するための最良の形態】
【００１１】
以下，本発明の一実施形態に係るエレベーターの地震管制運転動作試験システムを、図１に基づいて、詳説する。
【００１２】
図１において、エレベーターの地震管制運転動作試験システムは、機械室に設けられた地震感知器１に複数台のエレベーターＥ１、Ｅ２が接続されており、その地震感知器１の動作時、それらエレベーターＥ１、Ｅ２を最寄階に停止させ、その後、停止したエレベーターＥ１、Ｅ２を少なくとも復帰させるようにしている。
【００１３】
図１に示すエレベーターＥ１は、そのエレベーターＥ１の地震管制運転の動作試験を実行させる地震管制運転手段２と、地震感知器１の動作信号Ｐ１が入力される地震感知器入力部３と、擬似入力手段４からの擬似信号Ｐ２が入力される擬似入力部５と、地震感知器１の動作信号Ｐ１が入力された時と擬似入力手段４の擬似信号Ｐ２が入力された時とのいずれかの時に地震管制運転開始信号Ｐ３を地震管制運転手段２に入力されるように切り替え可能にした入力切替手段６と、擬似入力手段４からの擬似信号Ｐ２が入力切替手段６に入力されている時に、地震管制運転手段２に地震管制運転開始信号Ｐ３を入力させるための切替信号Ｐ４を出力する切替装置７と、この切替装置７からの切替信号Ｐ４を前記入力切替手段６に出力する切替入力部８と、地震感知器１の動作信号Ｐ１を記憶させる記憶手段９と、この記憶手段９に記憶された動作信号Ｐ１を出力する記憶出力部１０と、この記憶出力部１０から出力された動作信号Ｐ１を確認する読み出し手段１１とを備えている。
【００１４】
図１に示すエレベーターの地震管制運転動作試験システムは、通常状態では、地震感知器１の動作信号Ｐ１が地震感知器入力部３に入力されると、入力切替手段６から地震管制運転開始信号Ｐ３が前記地震管制運転手段２に入力されて、地震管制運転の動作試験が行われるようにしてある。
【００１５】
さらに、図１に示すエレベーターの地震管制運転動作試験システムは、切替装置７からの切替信号Ｐ４が切替入力部８に入力されると、擬似入力手段４の擬似信号Ｐ２が入力されている時のみ、地震管制運転開始信号Ｐ３が地震管制運転手段２に入力されるようにしてある。
【００１６】
切替装置７、読み出し手段１１及び擬似入力手段４は、メンテナンスコンピューターに包含させるようにするようにしてもよい。この場合、擬似入力部５、切替入力部８及び記憶出力部１０は、一つの入出力インターフェースで実現させることができる。
【００１７】
図１の点線で示すエレベーターＥ２は、地震感知器１に接続されており、地震感知器１が地震を検知してその地震感知器１から動作信号Ｐ１が出力されると、エレベーターＥ１と同様に地震管制運転の動作試験が行われる。
【００１８】
次に、上記実施形態に係るエレベーターの地震管制運転動作試験システムの試験運転手順を、図１を用いて説明する。
【００１９】
まず、切替装置７を操作することで、切替入力部８から切替信号Ｐ４を入力切替手段６に入力することにより、地震感知器１からの動作信号Ｐ１が入力切替手段６に入力されても地震管制運転開始信号Ｐ３が地震管制運転手段２に出力されず、擬似入力手段４からの擬似信号Ｐ２が入力切替手段６に入力されると地震管制運転開始信号Ｐ３が地震管制運転手段２に出力されるように切り替えられる。
【００２０】
次いで、地震感知器１の試験釦（図示せず）を操作して、その地震感知器１から地震感知器入力部３に動作信号Ｐ１を入力させると、その動作信号Ｐ１が地震感知器入力部３から記憶手段９に出力されて、その記憶手段９に記憶される。この場合、動作信号Ｐ１が入力切替手段６にも伝送されるが、入力切替手段６から地震管制運転手段２に地震管制運転開始信号Ｐ３が伝送されることなく、エレベーターＥ１の地震管制運転の動作試験が行われない。
【００２１】
一方、記憶手段９に記憶された動作信号Ｐ１は、記憶出力部１０から読み出し手段１１に出力することで、その読み出し手段１１で確認できる。これにより、地震感知器１の出力が、正しくエレベーターＥ１に入力されていることが確認できる。このことは、エレベーターＥ２においても、エレベーターＥ１と同様に行われて、地震感知器１の出力が、正しくエレベーターＥ２に入力されていることが確認できる。
【００２２】
次いで、擬似入力手段４を操作して、擬似入力手段４から擬似入力部５に擬似信号Ｐ２を入力させると、その擬似入力部５から擬似信号Ｐ２が入力切替手段６に入力されて、その入力切替手段６から地震管制運転手段２に地震管制運転開始信号Ｐ３が伝送されるため、エレベーターＥ１の地震管制運転の動作試験が行われる。このとき、エレベーターＥ２では、エレベーターＥ１の擬似入力手段４による擬似信号Ｐ２の入力がないので、通常運転（正常運転）が行われ、エレベーターサービスが確保される。
【００２３】
次いで、エレベーターＥ１の地震管制運転の動作試験終了後、エレベーターＥ１の擬似入力手段４を解除して、エレベーターＥ２について、エレベーターＥ１と同様に、擬似入力手段４を操作することで、エレベーターＥ２の地震管制運転の動作試験が行われると共に、地震感知器１からの動作信号Ｐ１を読み出し手段１１に出力することで、その読み出し手段１１で確認できる。
【００２４】
最後に、擬似入力手段４を解除して、かつ、地震感知器１の試験釦を元に戻すと共に、切替装置７を復帰させることによって、エレベーターＥ１、Ｅ２をともに正常運転に復帰させる。
【００２５】
以上のように、エレベーターの地震管制運転動作試験システムによれば、エレベーターＥ１、Ｅ２の地震管制運転を一台毎に行うことが可能となったので、ビル利用者のいない休日若しくは深夜の時間帯に、エレベーター地震管制運転の動作試験を実施しなくともよくなり、エレベーターサービスを確保しながらエレベーター地震管制運転の動作試験を平常時間帯に実施することができるため、保守費用を低く抑えることができる。
【図面の簡単な説明】
【００２６】
【図１】本発明の一実施形態に係るエレベーターの地震管制運転動作試験システムのブロック図である。
【符号の説明】
【００２７】
１    地震感知器
２    地震管制運転手段
３    地震感知器入力部
４    擬似入力手段
５    擬似入力部
６    入力切替手段
７    切替装置
８    切替入力部
９    記憶手段
１０  記憶出力部
１１  読み出し手段
Ｅ１、Ｅ２  エレベーター
Ｐ１  動作信号
Ｐ２  擬似信号
Ｐ３  地震管制運転開始信号
Ｐ４  切替信号
【図１】
2007022679.tif 000003